(57)【特許請求の範囲】
【請求項１】
脱気器で脱気され、脱気器貯水タンク内に貯留された給水をボイラに供給するため複数系統設けられた、脱気器降水管、給水ポンプ吸込管および給水ポンプ吐出管からなる給水系統にそれぞれ介装されるとともに、ウォーミング管およびウォーミング弁からなるウォーミング系統がそれぞれに付設された給水ポンプを、加熱給水でウォーミングするようにした給水ポンプ暖機方法において、給水加熱器から前記脱気器に供給される前記給水を分岐し、前記ウォーミング系統を介して前記給水ポンプに前記加熱給水として供給し、前記給水ポンプをウォーミングする工程と、前記給水ポンプのウォーミングにより冷却された前記加熱給水を前記給水ポンプ吸込管および脱気器降水管を介して前記脱気器貯水タンク内に逆流させ、前記給水ポンプ吸込管および脱気器降水管内に滞留している前記給水を規定温度以下にする工程とからなることを特徴とする給水ポンプ暖機方法。
【請求項２】
脱気器で脱気され、脱気器貯水タンク内に貯留された給水をボイラに供給するため複数系統設けられた、脱気器降水管、給水ポンプ吸込管および給水ポンプ吐出管からなる給水系統にそれぞれ介装されるとともに、ウォーミング管およびウォーミング弁からなるウォーミング系統がそれぞれに付設された給水ポンプを、加熱給水でウォーミングするようにした給水ポンプ暖機方法において、前記給水ポンプ吸込管内の前記給水の温度が規定温度より高くなったとき、前記ウォーミング弁を閉鎖して、前記ウォーミング系統から前記給水ポンプへの前記加熱給水の供給を止める工程と、前記給水ポンプ吸込管内の給水の温度が規定温度より低く、且つ前記給水ポンプのケーシング温度が暖機温度より低くなったとき、前記ウォーミング弁を開放し、前記ウォーミング系統から前記給水ポンプへ前記加熱給水を供給し、前記給水ポンプをウォーミングする工程とからなることを特徴とする給水ポンプ暖機方法。
【発明の詳細な説明】
【０００１】
【発明の属する技術分野】
本発明は、ボイラ用の給水ポンプの吸込側に連結され、脱気器貯水タンクに貯留された給水を給水ポンプに供給する脱気器降水管及び給水ポンプ吸込管内に滞留する給水が熱水となるのを防止しながら、待機状態にされている給水ポンプをウォーミングする給水ポンプ暖機方法に関する。
【０００２】
【従来の技術】
図３は、従来一般に用いられているボイラ給水ポンプ系統の一例を示す図である。
図に示すように、ボイラ給水ポンプ系統はプラントから排出される蒸気を復水し、復水中に含まれる空気を脱気して給水にするとともに、給水に不足量が生じたときに補充する給水補給装置４９と、給水をボイラに供給するボイラ給水装置５０とからなる。
【０００３】
また、ボイラ給水装置５０は、通常Ａ，Ｂ，Ｃからなる３系統の給水系統と、各給水系統Ａ，Ｂ，Ｃに付設されたウォーミング系統からなる。
すなわち、各給水系統Ａ，Ｂ，Ｃには、図示省略したボイラ容量の定格の５０％に相当する給水量を、ボイラに供給できる給水ポンプ５１ａ，５１ｂ，５１ｃをそれぞれを具え、ボイラの負荷に応じて給水を供給できるようにするとともに、ウォーミング系統を設けてボイラ負荷に応じて変動する給水量の変動に対応して、給水ポンプ５１ａ，５１ｂ，５１ｃの何れも、直ちに起動させてボイラに必要とする給水を供給できるように、各給水系統を待機状態に保持できるようにしている。
【０００４】
次に、このボイラ給水ポンプ系統を使ってボイラに給水を行う経路について説明する。
給水補給装置４９では、蒸気タービン等から排出され、復水されて復水器５２に貯った給水７１が、復水ポンプ５３によって汲み出され、復水管５７によって、蒸気タービンからの抽気蒸気や、その他の蒸気で加熱し、温度を上昇させる給水加熱器５４に供給される。
また、プラント外に流出する蒸気による給水７１の消失分は、復水管５７に連結された、図示しない補給管によって随時補給される。
なお、給水加熱器５４は、通常複数個並列に設けられるが、図においてはそのうちの１個だけ示している。
【０００５】
給水加熱器５４で加熱された給水７１は、逆止弁５８が配設された復水管５７によって、脱気器５５に供給される。
脱気器５５に供給された給水７１は、蒸気管５９で供給される抽気蒸気等の加熱蒸気で、加熱脱気されて脱気器貯水タンク５６に貯えられる。
【０００６】
次に、ボイラ給水装置５０では、脱気器貯水タンク５６に貯留された給水７１を、ボイラの負荷に応じて、Ａ，Ｂ，Ｃの３系統からなる給水系統の何れかの１〜２の給水系統を使ってボイラに供給する。
給水系統Ａ，Ｂ，Ｃのそれぞれは、上述したように、ボイラ容量の定格の５０％に相当する給水７１をボイラに供給できる給水ポンプ５１ａ，５１ｂ，５１ｃを具えるほかに、次のものが設けられている。
【０００７】
ブースタポンプ入口弁６１ａ，６１ｂ，６１ｃをそれぞれ途中に配設して、一端が脱水器貯水タンク５６に連結され、他端がブースタポンプ６２ａ，６２ｂ，６２ｃにそれぞれ連結された脱気器降水管６０ａ，６０ｂ，６０ｃ、
一端がブースタポンプ６２ａ，６２ｂ，６２ｃの吐出口にそれぞれ連結され、他端が前述した給水ポンプ５１ａ，５１ｂ，５１ｃの吸入口にそれぞれ連結された給水ポンプ吸込管６３ａ，６３ｂ，６３ｃ、
並びに、給水ポンプ出口逆止弁６５ａ〜ｃ及び給水ポンプ出口弁６６ａ〜ｃをそれぞれ途中に配設して、一端が給水ポンプ５１ａ，５１ｂ，５１ｃの吐出口にそれぞれ連結され、他端が管寄せ６７にそれぞれ連結された給水ポンプ吐出管６４ａ〜ｃ、
また、ボイラ給水系統５０には、給水系統Ａ，Ｂ，Ｃに設置されている給水ポンプ５１ａ，５１ｂ，５１ｃを待機状態に保持するため、それぞれをウォーミングするウォーミング系統が設けられている。
ウォーミング系統のそれぞれは、ウォーミング弁６９ａ〜ｃ及びオリフィス７０ａ〜ｃのそれぞれを直列に接続したものを途中に配設して、一端が管寄せ６７に連結され、他端が給水ポンプ５１ａ，５１ｂ，５１ｃのそれぞれに連結されたウォーミング管６８ａ，６８ｂ，６８ｃで形成されている。
【０００８】
以上のように構成された従来のボイラ給水ポンプ系統においては、ボイラを休止状態から稼動状態にするとき、任意の給水ポンプ１台から起動し始める。
以下、給水ポンプ５１ａから起動を始めると仮定して説明を行う。
まず、脱気器貯水タンク５６内に貯留された給水７１は、脱気器５５内の圧力及び高低差により、脱気器降水管６０ａ、ブースタ−ポンプ入口弁６１ａ、ブースタ−ポンプ６２ａ、および給水ポンプ吸込管６３ａを経て、給水ポンプ５１ａ内に流下し給水ポンプ５１ａをウォーミングする。
そして、給水ポンプ５１ａのメタル温度と給水７１温度との差が一定値以下になったら、給水ポンプ５１ａを起動する。
【０００９】
このようにして、給水ポンプ５１ａを起動した後、他の給水系統Ｂ，Ｃに設けられているウォーミング弁６９ｂ，６９ｃを開いて、給水ポンプ５１ａの吐出水の一部を給水ポンプ５１ｂ，５１ｃ内に流入させるとともに、給水ポンプ吸込管６３ｂ，６３ｃ、ブースタ−ポンプ６２ｂ，６２ｃ及び脱気器降水管６０ｂ，６０ｃ経て、脱気器貯水タンク５６に逆流、循環させて、ボイラ給水ポンプ５１ｂ，５１ｃをウォーミングする。
ウォーミング完了後、ボイラの稼動負荷に対応させて、給水ポンプ５１ｂ或いは５１ｃを起動させる。
【００１０】
この起動させた給水ポンプ５１ａから吐水される給水７１をウォーミング弁６９ｂ，６９ｃを介して、他の給水系統Ｂ，Ｃに逆流させ、給水ポンプ５１ｂ，５１ｃに循環させて、ウォーミングする循環水量は極く少量であるが、休止中の給水ポンプ５１ｂ，５１ｃのメタル温度と給水７１の温度との温度差を、給水ポンプ５１ｂ，５１ｃの起動できる一定値以下に維持するには充分であり、給水ポンプ５１ｂ，５１ｃのウォーミングには何等不具合は発生しない。
【００１１】
しかしながら、給水系統Ｂ，Ｃを逆流する循環水量が極く少量であるため、休止中の給水ポンプ吸込管６３ｂ，６３ｃ及び脱気器降水管６０ｂ，６０ｃ内に滞留している給水７１が、循環水流によって置換されるのに長時間を必要とすることによる不具合が発生する。
【００１２】
すなわち、プラント負荷が急激に低下したとき、脱気器貯水タンク５６内の給水７１温度が急激に低下するとともに、圧力も急激に低下する。
一方、プラント負荷が低下する前の高温状態で飽和蒸気圧ぎりぎりで運転されていた、給水系統Ｂ，Ｃの給水ポンプ吸込管６３ｂ，６３ｃおよび脱気降水管６０ｂ，６０ｃ内の給水７１は、循環水量が極く少量で循環水との置換が徐々にしか行われないために、高温状態が維持され、また、連通している脱気器貯水タンク５６内の圧力低下により、圧力が下がるためフラッシングして気泡を発生する。そして、これらの気泡は、給水ポンプ吸込管６３ｂ，６３ｃおよび脱気器降水管６０ｂ，６０ｃの水平部分に溜まっていく。
【００１３】
その後、この水平部分に溜まっていた気泡の一部が上昇して、気泡の抜けた部分に、脱気器貯水タンク５６内のプラント負荷の低下により温度の低下した給水が流入すると、気泡の抜けた部分周辺に多数集まっている気泡が一気に冷やされて消滅し、この部分に空隙が生じると、脱気器貯水タンク５６内の給水７１が急激に流入して、ウォータハンマーを発生させるという不具合が発生する。
【００１４】
さらに、給水ポンプ吸込管６３ｂ，６３および脱気器降水管６０ｂ，６０ｃ内に停滞している高温の給水７１が減圧フラッシングして生じる気泡は、キャビテーションを発生させるという不具合もある。
【００１５】
上述した不具合を解消する方法として、ウォーミング系統に設置するオリフィス７０ａ〜ｃの口径を大きくして、停止され、待機状態にされている給水系統Ｂ，Ｃを逆流する循環水量多くすることが考えられる。
この方法によれば、給水ポンプ吸込管６３ｂ，６３ｃ内及び脱気器降水管６０ｂ，６０ｃ内に滞留している高温の給水７１が、給水ポンプ５１ａから吐出される低い温度の給水７１により短時間で置換されて、上述した不具合を解消することはできる。
しかしながら、このような方法を採用した場合には、常時、多量の給水７１をウォーミング用に循環させることとなり、給水ポンプ５１ａの動力損失を大きくする不具合が新たに発生することになる。
【００１６】
【発明が解決しようとする課題】
本発明は、上述した従来の給水ポンプ暖機方法の不具合を解消するため、複数系統設けられた給水系統のうち、待機状態にされている給水系統の管路内の給水をフラシングさせることなく、またウォーミングする給水を循環させる給水ポンプの動力損失を大きくすることなく、待機状態にされている給水系統に設置されている給水ポンプをウォーミングできるようにした給水ポンプ暖機方法を提供することを課題とする。
【００１７】
【課題を解決するための手段】
このため、本発明の給水ポンプ暖機方法は、次の手段を採用した。
【００１８】
（１）脱気器で脱気されて脱気器貯水タンク内に貯留された給水をボイラに供給する、複数の系統からなる給水系統のそれぞれに介装された給水ポンプをウォーミングするために、給水加熱器から脱気器に供給される給水を分岐して、それぞれの給水ポンプに付設されているウォーミング系統を経由して、給水ポンプに加熱給水として供給し、休止して低温になっている給水ポンプのケーシング温度と給水温度との差が、給水ポンプの起動に支障のない一定値以内になるように給水ポンプをウォーミングする工程。
【００１９】
なお、加熱給水として分岐する給水は、給水加熱器の適当な段落から抽水するようにしても良い。
また、給水を分岐するために給水加熱器に設ける元弁の開閉は、手動操作で開閉するようにしても良いし、或いは給水加熱器の抽気系に温度スイッチを取り付け、ウォーミング系統に設けるウォーミング弁を温調弁とし、給水ポンプ吸込管内及び脱気器降水管内に停滞している給水温度を自動的に適温に保持するようにしても良い。
また、給水ポンプのウォーミングは、ケーシング温度と給水温度との差が○度以内になるようにすることが望ましい。
【００２０】
（２）給水ポンプをウォーミングすることにより冷却され、給水ポンプから排出される加熱給水を、脱気器で脱気されて脱気器貯水タンク内に貯留された給水をウォーミングを行う給水ポンプが介装された給水系統に設けられた、脱気器降水管、給水ポンプ吸込管を介して給水ポンプ脱気器貯水タンク内へ逆流させ、負荷の変動によっては高温状態が維持される給水ポンプ吸込管および脱気器降水管内に滞留する給水を、冷却された加熱給水で置換することにより、冷却してフラッシングを起こさない規定温度以下の低温にする工程。
【００２１】
本発明の給水ポンプ暖機方法は、上述した（１），（２）の工程の採用により、給水ポンプを加熱する加熱給水として適当な段落の給水加熱器出口から給水を抽水して、ウォーミング系統から供給し、給水ポンプをウォーミングしながら熱交換する。
さらに、熱交換して幾らか温度を下げた給水で、更に脱気器降水管及び給水ポンプ吸込管内の給水を置換する。
【００２２】
（ａ）これにより、給水ポンプは、直ちに起動してボイラの負荷に応じて給水をボイラに供給できる待機状態が保持できる温度にウォーミングできるとともに、給水ポンプ吸込管及び脱気器降水管内に停滞している給水は、熱水とならず適温に保持され、プラント負荷が急激に低下した時にも、フラッシングを惹き起すことはなく、それに伴うウォータハンマー、キャビティーションを誘発することがなくなる。
しかも、フラッシングを惹き起すことない給水にするための置換に必要な新たな配管の敷設を必要としない。
【００２３】
（ｂ）また、加熱給水として給水ポンプに供給される給水が作動中の給水ポンプから吐出されるものではなく、給水加熱器から脱気器へ供給される給水を分岐したもの、換言すれば復水ポンプから吐出されるものであるため、ウォーミング系統に設置されているオリフィス口径を大きくして、給水ポンプ吸込管内及び脱気器降水管内に停滞している給水を迅速に置換するようにしても、ほとんど動力損失は生じない。
但し、復水ポンプの動力損失は生じる。
【００２４】
（ｃ）また、給水加熱器出口から分岐された給水は、給水補給装置とボイラ給水装置内を移動するのみであり消耗とはならない。
【００２５】
また、本発明の給水ポンプ暖機方法は、次の手段を採用した。
（３）脱気器で脱気されて脱気器貯水タンク内に貯留された給水をボイラに供給する複数の系統からなる給水系統にそれぞれ介装された給水ポンプに給水を供給するため設けられた給水ポンプ吸込管内の給水の温度が、規定温度より高くなったとき、ウォーミングするためそれぞれの給水ポンプに付設されているウォーミング系統に配設されたウォーミング弁を閉鎖して、ウォーミング系統から給水ポンプへの加熱給水の供給を止め、給水が加熱されてフラッシングするのを防止する工程。
【００２６】
（４）給水ポンプ吸込管内の給水の温度がフラッシングを発生しない規定温度より低く、しかも、休止して低温になっている給水ポンプのケーシング温度が給水温度よりも一定値以上低くなる暖機温度より低くなったとき、ウォーミング弁を開放し、ウォーミング系統から給水ポンプへ加熱給水を供給して、給水ポンプのケーシング温度の給水温度との差が、給水ポンプの運転に支障のない、一定値以内になるように給水ポンプをウォーミングする工程。
【００２７】
なお、ウォーミング弁の開閉は手動操作によって行うようにしても良いが、給水ポンプ吸込管及び給水ポンプケーシングに温度スイッチを取り付け、ウォーミング弁を温度調節弁とした自動制御に行うようにすることが好ましい。
また、ウォーミング弁の開閉操作のバランス点は、給水ポンプ装置の規模によって自ずと見い出される。
さらに、ウォーミング系統から給水ポンプへ供給する加熱給水は、上述した（１）の工程の如く、給水加熱器の出口から分岐した給水を使用するようにしても、従来の給水ポンプ暖機方法と同様に、作動している給水ポンプから吐出される給水を使用するようにしても良い。
【００２８】
本発明の給水ポンプ暖機方法は、上述した（３），（４）の工程の採用により、給水ポンプ吸込管と給水ポンプケーシングに温度計或いは温度スイッチを取り付け、この両方の温度を計測し、これらの温度信号にもとづき、ウォーミング管路のウォーミング弁を操作して、給水がフラッシングすることによる不具合を発生させることなく給水ポンプのウォーミングを行うことができる。
【００２９】
すなわち、計測された給水ポンプ吸込管内に滞留している給水の温度がフラッシングを惹起する温度以上になれば、ウォーミング弁を閉とし、給水ポンプのウォーミングを止め、また、給水ポンプケーシングの温度が給水ポンプの起動に充分な温度になってなく、さらに、当該給水ポンプの給水ポンプ吸込管内に滞留している給水の温度が、フラッシングを惹起する温度以下になっているときには、ウォーミング弁を開として、加熱給水を給水ポンプに供給して、給水ポンプケーシングの温度を給水ポンプが起動できる温度にまで上げるようにすることにより、前述（ａ）と同様の作用、効果が得られ、従来の給水ポンプ暖機方法で生じていた不具合を解消することができる。
【００３０】
【発明の実施の形態】
以下、本発明の給水ポンプ暖機方法の実施の一形態を、図面にもとづき説明する。
図１は本発明の給水ポンプ暖機方法の実施の第１形態を示すためのボイラ給水ポンプ系統を示すダイヤグラムである。
なお、図において図３に示す部材と同一部材には、同一符号を符し詳細説明は省略する。
【００３１】
図示省略したタービンを駆動した蒸気は、排気となって復水器５２に戻り、冷却されて復水となり復水器５７内に貯る。
復水器５２内の復水は、復水ポンプ５３によって汲み出されて復水管５３を通って給水加熱器５４で加熱されて脱気器５５に入り、蒸気管５９から供給される加熱蒸気で加熱脱気されて脱気器貯水タンク５６に貯えられる。
【００３２】
脱気器貯水タンク５６に貯えられた給水は、ボイラ給水装置５０を構成している給水系統Ａ，Ｂ，Ｃを形成する脱気器降水管６０ａ，６０ｂ，６０ｃを通って、二点鎖線内のボイラ給水装置５０に供給される。
なお、給水系統Ａ、若しくは後述する給水ポンプウォーミング系統Ａに、付設されている装置にサフイックスａ、系統Ｂに付設されている装置にサフィックスｂ、系統Ｃに付設されている装置にサフィックスｃを付すこととする。
【００３３】
給水系統Ａ，Ｂ，Ｃは、上述した脱気器降水管６０ａ，６０ｂ，６０ｃのほかに、ブースターポンプ入口弁６１ａ，６１ｂ，６１ｃ、ブースターポンプ６２ａ，６２ｂ，６２ｃ、給水ポンプ吸込管６３ａ，６３ｂ，６３ｃ、給水ポンプ５１ａ，５１ｂ，５１ｃ、給水ポンプ吐出管６４ａ，６４ｂ，６４ｃ、給水ポンプ出口逆止弁６５ａ，６５ｂ，６５ｃ、給水ポンプ出口弁６６ａ，６６ｂ，６６ｃを直列に接続して形成され、上記の給水ポンプ出口弁６６ａ，６６ｂ，６６ｃを管寄せ６７に連通させて、脱気器貯水タンク５６内の給水７１を最終的には、ボイラに供給する。
【００３４】
このようなボイラ給水ポンプ系統において、本実施の形態では給水ポンプ５１ａ，５１ｂ，５１ｃをウォーミングするための加熱給水として、適当な段落の給水加熱器５４からの給水７１を抽水して使用するようにした。
このために、給水ポンプ５１ａ，５１ｂ，５１ｃをウォーミングするために設けられ、ボイラ給水装置５０を構成しているウォーミング管６８ａ，６８ｂ，６８ｃウォーミング弁６９ａ，６９ｂ，６９ｃ及オリフィス７０ａ，７０ｂ，７０ｃを連通した形成された給水ポンプウォーミング系統７２ａ，７２ｂ，７２ｃと給水加熱器５４とを抽出管１で接続するようにしている。
【００３５】
そして給水加熱器５４から抽出された抽水を給水ポンプウォーミング系統７２ａ，７２ｂ，７２ｃのそれぞれに供給し、待機状態されている、ウォーミングを必要とする給水ポンプ５１ａ，５１ｂ，５１ｃの全て、若しくはこれらの何れかをウォーミングするようにしている。
また、給水ポンプ５１ａ，５１ｂ，５１ｃをウォーミングし、熱交換して低くなった加熱給水は、給水ポンプ吸込管６３ａ，６３ｂ，６３ｃ、脱気器降水管６０ａ，６０ｂ，６０ｃを通して脱気器貯水タンク５６へ逆流させる。
この逆流によって、脱気器降水管６０ａ，６０ｂ，６０ｃ内及び給水ポンプ吸込管６３ａ，６３ｂ，６３ｃ内の停滞水は、冷却されて低温になって逆流する加熱給水とすみやかに置換されて低い温度に保持される。
【００３６】
このように、本実施の形態の給水ポンプ暖機方法の採用により、給水ポンプ５１ａ，５１ｂ，５１ｃの何れも作動していないとき、直ちに起動してボイラの負荷に応じて給水７１をボイラに供給できる待機状態が保持できる温度にウォーミングできるとともに、待機状態にされた給水ポンプ５１ａ，５１ｂ，５１ｃに接続された、給水ポンプ吸込管６３ａ，６３ｂ，６３ｃ及び脱気器降水管６０ａ，６０ｂ，６０ｃの何れの管内に停滞している給水７１も、熱水とならず適温に保持され、プラント負荷が急変して、脱気器貯水タンク内の給水７１の温度および圧力が急激に低下するようなことが生じても、管内に停滞している給水７１はフラッシングを惹き起すことはなく、それに伴うウォータハンマー、キャビティーションを誘発することは無くなる。
【００３７】
さらに、フラッシングを惹き起すことのない給水７１にするための滞留水の置換に必要な新たな配管の敷設を必要としない。
また、加熱給水として待機状態にされている給水ポンプ５１ａ，５１ｂ，５１ｃの何れかに供給される給水７１が、作動中の給水ポンプ５１ａ，５１ｂ，５１ｃの何れかから吐出されるものではなく、給水加熱器５４から脱気器５５へ供給される給水７１を分岐したものを使用するようにしているため、ウォーミング系統７２ａ，７２ｂ，７２ｃに設置されているオリフィス口径７０ａ，７０ｂ，７０ｃを大きくして、待機状態にされている給水系統の給水ポンプ吸込管６３ａ，６３ｂ，６３ｃ内及び脱気器降水管６０ａ，６０ｂ，６０ｃ内の何れに停滞している給水７１を、どのように迅速に置換するようにしても、ほとんど動力損失とはならない。
但し、復水ポンプの動力損失は生じる。
【００３８】
また、給水加熱器５４出口から分岐された給水７１は、給水補給装置４９とボイラ給水装置５０内を移動するのみであり、消耗とならず補給水の増大に伴う不具合は発生ない。
さらに、給水加熱器５４から脱気器５５に供給される給水を加熱給水とするために、給水加熱器５４に設ける元弁の開閉は、給水加熱器５４の抽気系に温度スイッチを取り付け、ウォーミング弁６９ａ，６９ｂ，６９ｃを温調弁とし、給水ポンプ吸込管６３ａ，６３ｂ，６３ｃ内及び脱気器降水管６０ａ，６０ｂ，６０ｃ内に停滞している給水７１の温度を自動的に適温に保持するように制御できるようにすれば、一層プラント効率を向上させることができる。
【００３９】
次に、図２は本発明の給水ポンプ暖機方法の実施の第２形態を示すためのボイラ給水装置の系統を示すダイヤグラムである。
【００４０】
図に示すように、給水ポンプ装置５０を構成している給水系統Ａ，Ｂ，Ｃ共、脱気器降水管６０ａ，６０ｂ，６０ｃ、ブースターポンプ入口弁６１ａ，６１ｂ，６１ｃ、ブースターポンプ６２ａ，６２ｂ，６２ｃ、給水ポンプ吸込管６３ａ，６３ｂ，６３ｃ、給水ポンプ５１ａ，５１ｂ，５１ｃ、給水ポンプ吐出管６４ａ，６４ｂ，６４ｃ、給水ポンプ出口逆止弁６５ａ，６５ｂ，６５ｃ、および給水ポンプ出口弁６６ａ，６６ｂ，６６ｃを連結して、管寄せ６７に連通すると共に、管寄せ６７と給水ポンプ５１との間に、ウォーミング管６８ａ，６８ｂ，６８ｃ、ウォーミング元弁６９ａ，６９ｂ，６９ｃおよびオリフィス７０ａ，７０ｂ，７０ｃを直列に接続し、給水ポンプウォーミング系統７２ａ，７２ｂ，７２ｃを形成している。
【００４１】
このように構成された従来のボイラ給水装置５０において、給水ポンプ吸込管６３ａ，６３ｂ，６３ｃと給水ポンプ５１ａ，５１ｂ，５１ｃのケーシングとに、それぞれ温度計或いは温度スイッチ２を取り付け、この両方の温度計或いは温度スイッチ７１を設け、温度を計測し、この温度信号により、給水ポンプ５１ａ，５１ｂ，５１ｃのウォーミングを行い、しかも脱気器降水管６０ａ，６０ｂ，６０ｃ及び給水ポンプ吸込管６３ａ，６３ｂ，６３ｃ内の温度を低い温度に維持するようにしている。
【００４２】
すなわち、計測された給水ポンプ吸込管６３ａ，６３ｂ，６３ｃ内に滞留している給水７１の温度が、フラッシングを惹起する温度以上になれば、ウォーミング弁６９ａ，６９ｂ，６９ｃを閉とし、給水ポンプ５１ａ，５１ｂ，５１ｃのウォーミングを止め、フラッシングの惹起による不具合の発生を防止する。
【００４３】
また、給水ポンプ５１ａ，５１ｂ，５１ｃのケーシングの温度が給水ポンプ５１ａ，５１ｂ，５１ｃの起動に充分な温度になってなく、さらに、当該給水ポンプ５１ａ，５１ｂ，５１ｃのそれぞれに接続された、給水ポンプ吸込管６３ａ，６３ｂ，６３ｃ内に滞留している給水７１の温度が、フラッシングを惹起する温度以下になっているときは、ウォーミング弁６９ａ，６９ｂ，６９ｃを開として、加熱給水を作動させている給水ポンプ５１ａ，５１ｂ，５１ｃの何れかから供給して、待機状態にされている給水ポンプ５１ａ，５１ｂ，５１ｃのケーシング温度を起動できる温度にまで上げることにより、実施の第１形態と同様に待機状態にされ、作動してない給水ポンプ５１ａ，５１ｂ，５１ｃの何れも、直ちに起動してボイラの負荷に応じて給水７１をボイラに供給できる待機状態が保持できる温度にウォーミングできる。
【００４４】
さらに、給水ポンプ吸込管６３ａ，６３ｂ，６３ｃ及び脱気器降水管６０ａ，６０ｂ，６０ｃの何れの管内に滞留している給水７１も適温に保持され、プラント負荷が急激に低下しても、フラッシングを惹き起すことはなく、それに伴うウォータハンマー、キャビティーションを誘発することも無くなる。
また、フラッシングを惹き起すことない給水７１にするための、滞留水の置換に必要な新たな配管の敷設を必要としない利益が得られるものである。
【００４５】
すなわち、給水ポンプ吸込管６３ａ，６３ｂ，６３ｃ内の給水７１の温度が規定温度より高ければ、ウォーミング弁６９ａ，６９ｂ，６９ｃは閉とし、給水ポンプ吸込管６３ａ，６３ｂ，６３ｃ内の給水７１の温度が規定温度より低くて、しかも給水ポンプケーシング温度が暖機温度より低くければ、ウォーミング元弁６９を開とする操作を行い、給水ポンプケーシング温度を暖機温度にするとともに、脱気器降水管６０及び給水ポンプ吸込管６３内の温度を低い温度に維持する。
【００４６】
また、この温度操作、つまりウォーミング弁６９ａ，６９ｂ，６９ｃの開閉は、温度計の目視による手動操作、或いは給水ポンプ吸込管６３ａ，６３ｂ，６３ｃ、及び給水ポンプケーシングに温度スイッチ２を取り付け、ウォーミング弁６９ａ，６９ｂ，６９ｃを温度調節弁として自動制御を行うようにすれば、より信頼性の高いものにできる。
なお、本実施の形態では、作動している給水ポンプ５１ａ，５１ｂ，５１ｃから吐出される給水７１の一部を、待機状態にされている給水ポンプ５１ａ，５１ｂ，５１ｃに加熱給水として供給するようにしているが、実施の第１形態と同様に給水加熱器５４から脱気器５５に供給される給水７１を分岐して、加熱給水として使用するようにしても良いものである。
【００４７】
【発明の効果】
以上、述べたように、本発明の給水ポンプ暖機方法によれば、給水加熱器から脱気器に供給される給水を分岐し、ウォーミング系統を介して給水ポンプに加熱給水として供給し、給水ポンプをウォーミングする工程、給水ポンプのウォーミングにより冷却された加熱給水を給水ポンプ吸込管および脱気器降水管を介して脱気器貯水タンク内に逆流させ、給水ポンプ吸込管および脱気器降水管内の給水を規定温度以下にする工程を採用したことにより、給水加熱器から給水ポンプのウォーミングに適し、脱気器降水管、給水ポンプ吸込管にフラッシングを起さない適温の給水を連続して供給することができるとともに、熱水置換のための新たな配管の敷設が不要になる。
【００４８】
これにより、プラント負荷が急激に低下したときにも、脱気器降水管及び給水ポンプ吸込管内の給水が、減圧フラッシングし、ウォータハンマーやキャビティションを発生させることはない。
【００４９】
また、本発明の給水ポンプ暖機方法によれば、給水ポンプ吸込管内の給水の温度が規定温度より高くなったとき、ウォーミング弁を閉鎖して、ウォーミング系統から給水ポンプへの加熱給水の供給を止める工程、および給水ポンプ吸込管内の給水の温度が規定温度より低く、且つ給水ポンプのケーシング温度が暖機温度より低くなったとき、ウォーミング弁を開放し、ウォーミング系統から給水ポンプへ加熱給水を供給し、前記給水ポンプをウォーミングする工程を採用したことにより、給水ポンプ吸込管内に滞留している給水の温度が、フラッシングを惹起する規定温度以上になれば、ウォーミング弁を閉とし、給水ポンプのウォーミングを止め、また、給水ポンプケーシングの温度が給水ポンプ起動に充分な暖機温度になってなく、さらに、当該給水ポンプの給水ポンプ吸込管内に滞留している給水の温度が、フラッシングを惹起する規定温度以下になっているときは、ウォーミング弁を開として、加熱給水を給水ポンプに供給して給水ポンプケーシングの温度を給水ポンプが起動できる温度にまで上げることにより、プラント負荷が急激に低下したときにも、脱気器降水管及び給水ポンプ吸込管内の給水が減圧フラッシングし、ウォータハンマーやキャビティションを発生させることなく、給水ポンプを直ちに起動できる待機状態に保持することができる。
【図面の簡単な説明】
【図１】本発明の給水ポンプ暖機方法の実施の第１形態を示すためのボイラ給水ポンプ系統を示すダイヤグラム，
【図２】本発明の給水ポンプ暖機方法の実施の第２形態を示すためのボイラ給水装置の系統を示すダイヤグラム，
【図３】従来のボイラ給水ポンプ系統を示すダイヤグラムである。
【符号の説明】
１                      抽出管
２                      温度計若しくは温度スイッチ
４９                    給水補給装置
５０                    ボイラ給水装置
５１ａ，５１ｂ，５１ｃ  給水ポンプ
５２                    復水器
５３                    復水ポンプ
５４                    給水加熱器
５５                    脱気器
５６                    脱気器貯水タンク
５７                    復水管
５８                    逆止弁
５９                    蒸気管
６０ａ，６０ｂ，６０ｃ  脱気器降水管
６１ａ，６１ｂ，６１ｃ  ブースタポンプ入口弁
６２ａ，６２ｂ，６２ｃ  ブースタポンプ
６３ａ，６３ｂ，６３ｃ  給水ポンプ吸込管
６４ａ，６４ｂ，６４ｃ  給水ポンプ吐出管
６５ａ，６５ｂ，６５ｃ  給水ポンプ出口逆止弁
６６ａ，６６ｂ，６６ｃ  給水ポンプ出口弁
６７                    管寄せ
６８ａ，６８ｂ，６８ｃ  ウォーミング管
６９ａ，６９ｂ，６９ｃ  ウォーミング弁
７０ａ，７０ｂ，７０ｃ  オリフィス
７１                    給水
７２ａ，７２ｂ，７２ｃ  給水ポンプウォーミング系統
Ａ，Ｂ，Ｃ              給水系統
【図１】
0003905594.tif 000002
【図２】
0003905594.tif 000003
【図３】
0003905594.tif 000004